(57)【要約】  本発明は、媒体を円滑に搬送しながら識別する媒体識別装置及び媒体取引装置を提供する。現金自動預払機（１）の識別部（１４）は、隣接する第１搬送前部（２１Ａ）及び第１搬送後部（２１Ｂ）の範囲に至るまで、上搬送ガイド（３０Ａ）及び下搬送ガイド（３０Ｂ）をそれぞれ１の部品として形成した。これにより識別部（１４）は、ガイド間隔が比較的狭い領域において噛合部同士を噛み合わせた場合に生じ得る隙間や段差等を形成すること無く、平滑な下面及び上面に沿って紙幣を案内できる。よって、本発明は、紙幣の詰まりが発生する可能性を格段に低減できる。
2016031410.tif 000002
【特許請求の範囲】
【請求項１】
媒体を搬送する第１搬送領域及び第２搬送領域の間に、当該媒体を搬送しながら識別する識別領域が配置された搬送経路と、  前記搬送経路を挟んで互いに対向し、前記識別領域における互いの間隔が、前記第１搬送領域及び前記第２搬送領域における互いの間隔よりも狭い第１搬送ガイド及び第２搬送ガイドと、  前記第１搬送ガイド及び第２搬送ガイドの少なくとも一方における前記識別領域に設けられ、前記媒体を識別する識別センサと、  前記第１搬送ガイド及び第２搬送ガイドの前記識別領域に設けられ、前記媒体を搬送する識別搬送ローラと  を具え、  前記第１搬送ガイド及び第２搬送ガイドは、前記搬送経路側の面において、前記第１搬送領域、前記識別領域及び前記第２搬送領域に渡る範囲で、前記媒体を搬送する搬送方向に関し一体に形成されている、  媒体搬送識別装置。
【請求項２】
前記第１搬送ガイド及び前記第２搬送ガイドは、前記第１搬送領域と前記識別領域との間に第１中間領域を有すると共に、前記第２搬送領域と前記識別領域との間に第２中間領域を有し、  前記第１中間領域及び前記第２中間領域は、前記第１搬送ガイド及び前記第２搬送ガイドの間隔を、前記第１搬送領域及び前記第２搬送領域における間隔から前記識別領域における間隔へ連続的に変化させる、  請求項１に記載の媒体搬送識別装置。
【請求項３】
前記第１搬送ガイドおよび前記第２搬送ガイドの前記第１中間領域及び前記第２中間領域と一致する範囲において前記搬送経路内に一部を突出させ、前記媒体を搬送する搬送ローラをさらに具える請求項２に記載の媒体搬送識別装置。
【請求項４】
前記第１搬送ガイドおよび前記第２搬送ガイドは、前記第１中間領域及び前記第２中間領域における前記搬送経路側の面を、前記第１搬送領域及び前記第２搬送領域における前記搬送経路側の面である搬送面に対して傾斜する傾斜面とし、且つ前記搬送面に対する前記傾斜面のなす角度を１０度〜４０度とする、請求項２に記載の媒体搬送識別装置。
【請求項５】
前記識別搬送ローラは、前記第１搬送ガイドおよび前記第２搬送ガイドの前記識別領域における搬送経路側の面である識別面と、当該識別搬送ローラの外周が当該識別面と交差する箇所における仮想的な接線とのなす角度が、１０度〜４０度である、請求項１に記載の媒体搬送識別装置。
【請求項６】
前記第２搬送領域に隣接して配置され、前記媒体の前記搬送経路を切り替える切替部をさらに具え、  前記第１搬送ガイドおよび前記第２搬送ガイドは、前記切替部における前記媒体の前記搬送経路に沿った搬送ガイドと一体に形成されている、  請求項１に記載の媒体搬送識別装置。
【請求項７】
利用者と取引する媒体を当該利用者との間で授受する授受部と、  前記媒体を搬送する第１搬送領域及び第２搬送領域の間に、当該媒体を搬送しながら識別する識別領域が配置された搬送経路と、  前記搬送経路を挟んで互いに対向し、前記識別領域における互いの間隔が、前記第１搬送領域及び前記第２搬送領域における互いの間隔よりも狭い第１搬送ガイド及び第２搬送ガイドと、  前記第１搬送ガイド及び第２搬送ガイドの少なくとも一方における前記識別領域に設けられ、前記媒体を識別する識別センサと、  前記第１搬送ガイド及び第２搬送ガイドの前記識別領域に設けられ、前記媒体を搬送する識別搬送ローラと  を具え、  前記第１搬送ガイド及び第２搬送ガイドは、前記搬送経路側の面において、前記第１搬送領域、前記識別領域及び前記第２搬送領域に渡る範囲で、前記媒体を搬送する搬送方向に関し一体に形成されている、  媒体取引装置。
【発明の詳細な説明】
【技術分野】
【０００１】  本発明は、媒体搬送識別装置及び媒体取引装置に関し、例えば媒体として紙幣を取り扱う現金自動預払機（ＡＴＭ：Automatic Teller Machine）等に適用可能な媒体搬送識別装置及び媒体取引装置に関する。
【背景技術】
【０００２】  従来の金融機関等で使用される現金自動預払機等としては、利用者との取引内容に応じて、例えば利用者に紙幣や硬貨等の現金を入金させ、また利用者へ現金を出金する現金自動預払機が広く普及している。【０００３】  現金自動預払機としては、入出金部と、搬送部と、識別部と、一時保留部と、紙幣収納庫と、全体を制御する制御部等とを有するものが提案されている。入出金部は、例えば利用者との間で紙幣の受け渡しを行う。搬送部は、紙幣を搬送する。識別部は、投入された紙幣を鑑別する。一時保留部は、投入された紙幣を一時的に保留する。紙幣収納庫は、紙幣を金種ごとに格納する。【０００４】  現金自動預払機は、例えば入金取引において、利用者により入出金部に投入された紙幣を１枚ずつに分離して取り込み、搬送部により識別部へ搬送して鑑別し、その鑑別結果を基に制御部によって搬送先を決定した上で一時保留部に収納する。その後、現金自動預払機は、一時保留部に収納している紙幣をそれぞれ決定された搬送先へ搬送し、収納する。【０００５】  識別部には、例えば内部に形成された搬送経路に沿って、紙幣の厚みを検出する厚みセンサ、画像を撮像する画像センサ、磁気を検出する磁気センサ、及び紙幣を搬送する搬送ローラが配置されている。このため識別部は、搬送部から受け渡された紙幣を内部の搬送経路に沿って搬送しながら、各センサによりそれぞれ検出結果を得る（例えば、特開２００４−８３１７２号公報（第１１図）参照）。
【発明の概要】
【発明が解決しようとする課題】
【０００６】  ところで、上記構成の識別部では、各センサをそれぞれ独立したモジュールとして構成し、紙幣を案内する搬送ガイドをこのモジュール毎に設け、これらを互いに連結させることで、搬送経路を形成していた。【０００７】  しかしながら各モジュールの連結部分では、取付精度の問題等により、搬送経路の表面にある程度の段差や隙間が形成されてしまう。また識別部内の搬送経路では、互いに対向する搬送ガイド同士の間隔を搬送部における搬送ガイド同士の間隔よりも狭めることにより、紙幣と各センサとを近接させて検出精度を高めている。【０００８】  このため識別部内では、搬送ガイド同士の間隔が比較的狭い箇所において、各モジュールの連結部分に段差や隙間が形成された場合、紙幣の詰まりが発生する可能性があった。【０００９】  本発明は、媒体を円滑に搬送しながら識別する媒体搬送識別装置及び媒体取引装置を提供する。
【課題を解決するための手段】
【００１０】  本発明の第１の態様は、媒体搬送識別装置であって、媒体を搬送する第１搬送領域及び第２搬送領域の間に、当該媒体を搬送しながら識別する識別領域が配置された搬送経路と、搬送経路を挟んで互いに対向し、識別領域における互いの間隔が、第１搬送領域及び第２搬送領域における互いの間隔よりも狭い第１搬送ガイド及び第２搬送ガイドと、第１搬送ガイド及び第２搬送ガイドの少なくとも一方における識別領域に設けられ、媒体を識別する識別センサと、第１搬送ガイド及び第２搬送ガイドの識別領域に設けられ、媒体を搬送する識別搬送ローラとを備え、第１搬送ガイド及び第２搬送ガイドは、搬送経路側の面において、第１搬送領域、識別領域及び第２搬送領域に渡る範囲で、媒体を搬送する搬送方向に関し一体に形成されている。【００１１】  また、本発明の第２の態様は、媒体取引装置であって、利用者と取引する媒体を当該利用者との間で授受する授受部と、媒体を搬送する第１搬送領域及び第２搬送領域の間に、当該媒体を搬送しながら識別する識別領域が配置された搬送経路と、搬送経路を挟んで互いに対向し、識別領域における互いの間隔が、第１搬送領域及び第２搬送領域における互いの間隔よりも狭い第１搬送ガイド及び第２搬送ガイドと、第１搬送ガイド及び第２搬送ガイドの少なくとも一方における識別領域に設けられ、媒体を識別する識別センサと、第１搬送ガイド及び第２搬送ガイドの識別領域に設けられ、媒体を搬送する識別搬送ローラとを備え、第１搬送ガイド及び第２搬送ガイドは、搬送経路側の面において、第１搬送領域、識別領域及び第２搬送領域に渡る範囲で、媒体を搬送する搬送方向に関し一体に形成されている。【００１２】  本発明の上記態様によれば、搬送経路のうち、識別センサにより精度良く媒体を識別するために比較的狭く形成された識別領域において、第１搬送ガイド及び第２搬送ガイドと他の搬送ガイドとを連結させる必要が無く、段差や隙間の発生を排除できる。
【発明の効果】
【００１３】  本発明によれば、媒体を円滑に搬送しながら識別する媒体識別装置及び媒体取引装置を提供できる。
【図面の簡単な説明】
【００１４】
【図１】現金自動預払機の外観構成を示す略線的斜視図である。
【図２】紙幣入出金機の構成を示す略線図である。
【図３】第１の例示的実施形態による搬送部の構成を示す略線図である。
【図４】第１の例示的実施形態による識別部の構成を示す略線図である。
【図５】第１の例示的実施形態による識別部の構成を示す略線図である。
【図６】搬送ガイドの構成を示す略線図である。
【図７】上搬送ガイドに対する画像モジュールの取付を示す略線図である。
【図８Ａ】下搬送ガイドにおける噛合部の構成を示す略線図である。
【図８Ｂ】下搬送ガイドにおける噛合部の構成を示す略線図である。
【図９】搬送ガイドと識別搬送ローラとの関係を示す略線図である。
【図１０】搬送ガイドの領域と搬送ローラとの関係を示す略線図である。
【図１１】第２の例示的実施形態による搬送部の構成を示す略線図である。
【図１２】第２の例示的実施形態による識別部の構成を示す略線図である。
【図１３】第３の例示的実施形態による搬送部の構成を示す略線図である。
【図１４】第３の例示的実施形態による中間搬送ガイドの構成を示す略線図である。
【図１５】第４の例示的実施形態による識別部の構成を示す略線図である。
【発明を実施するための形態】
【００１５】  以下、発明を実施するための形態（以下例示的実施形態とする）について、図面を用いて説明する。
【００１６】［１．第１の例示的実施形態］［１−１．現金自動預払機の構成］  図１に外観を示すように、現金自動預払機１は、箱状の筐体２を含み、例えば金融機関等に設置され、顧客との間で入金処理や出金処理等の現金に関する取引を行う。
【００１７】  筐体２には、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行う。顧客応対部３には、カード入出口４、入出金口５、操作表示部６、テンキー７、及びレシート発行口８が設けられている。
【００１８】  カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞するようになっている。因みに紙幣は、例えば長方形の紙で構成されている。
【００１９】  操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２０】  以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２１】  筐体２内には、現金自動預払機１全体を統括制御する主制御部９や、紙幣に関する種々の処理を行う紙幣入出金機１０等が設けられている。主制御部９は、ＣＰＵ（Central Processing Unit）（図示せず）を中心に構成されている。主制御部９は、ＲＯＭ（Read Only Memory）（図示せず）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２２】［１−２．紙幣入出金機の構成］  紙幣入出金機１０は、図２に側面図を示すように、内部に媒体としての紙幣に関する種々の処理を行う複数の部分が組み込まれている。紙幣入出金機１０は、大きく分けて、上下方向のほぼ中央よりも上側部分を占める上部ブロック１０Ｕと、その下側部分を閉める下部ブロック１０Ｌとにより構成されている。
【００２３】［１−２−１．上部ブロックの構成］  上部ブロック１０Ｕには、全体を統括制御する紙幣制御部１１、顧客との間で紙幣を授受する入出金部１２、紙幣を各部へ搬送する搬送部１３、紙幣を鑑別する識別部１４、紙幣を一時的に収納する一時保留部１５、及び偽券と鑑別された紙幣を収納する偽券庫１８が設けられている。
【００２４】  紙幣制御部１１は、主制御部９と同様、ＣＰＵ（図示せず）を中心に構成されている。紙幣制御部１１は、ＲＯＭ（図示せず）やフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２５】  入出金部１２は、上部ブロック１０Ｕ内における前上部に位置している。この入出金部１２は、顧客から入金された紙幣及び顧客へ出金すべき紙幣を収容する収容器１２Ａを内部に有しており、その上方をシャッタ１２Ｂにより開閉可能に構成されている。収容器１２Ａ内には、複数の紙幣が紙面を前後方向に向けて集積された状態で、すなわち前後方向に沿って整列された状態で収容される。
【００２６】  また入出金部１２の前下方には、取込放出口１２Ｃ及び入出金搬送部１２Ｄが設けられている。取込放出口１２Ｃは、紙幣制御部１１の制御に基づき、取込モード及び放出モードといった２種類の動作モードを切り替えて動作する。すなわち取込放出口１２Ｃは、取込モードにおいて、収容器１２Ａ内の紙幣を１枚ずつに分離して所定の時間間隔毎に下方へ送り出し、入出金搬送部１２Ｄを介して搬送部１３に受け渡す。また取込放出口１２Ｃは、放出モードにおいて、搬送部１３から入出金搬送部１２Ｄを介して受け渡された紙幣を収容器１２Ａ内へ放出して集積させる。
【００２７】  搬送部１３は、上部ブロック１０Ｕ内における下端部分に、すなわち紙幣入出金機１０全体における上下のほぼ中央を前後方向に横切るように位置しており、全体的に上下方向に薄く前後方向に細長い形状となっている。この搬送部１３内には、多数の回転するローラや紙幣を案内する搬送ガイド等が適宜配置されており、紙幣の短手方向を進行方向として、主に前後方向に沿って搬送させるような直線状の搬送路が形成されている。
【００２８】  また搬送部１３内には、複数の切替部が配置されている。各切替部は、ブレードと呼ばれる部材（図中三角形で示す）、及びその周囲に配置された複数のローラにより構成されている。ブレードは、左右方向に長く、且つ左右方向から見て楔形に形成されている。ブレードは、所定のアクチュエータにより駆動され、回動して傾斜方向を変化させることで、紙幣の搬送方向を２通りに切り替える。各ローラは、紙幣の搬送路を挟んで互いに対向するように配置されている。この切替部は、紙幣制御部１１の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００２９】  搬送部１３は、図３に拡大図を示すように、大きく分けて前側の第１搬送部２１と、後側の第２搬送部２２と、両者を接続する一時保留切替部２０とにより構成されている。一時保留切替部２０は、中心に位置するブレードと、当該ブレードの前側、後側及び上側にそれぞれ位置するローラとにより、いわゆる３ウェイブレードとして構成されている。
【００３０】  第１搬送部２１内には、前方から順に、リジェクト切替部２３、識別部１４（詳しくは後述する）及び第１切替部２４が直列に配置されている。これらの間は、比較的短い搬送短路によりそれぞれ接続されており、全体として前後方向に沿った直線状の搬送経路が形成されている。また説明の都合上、第１搬送部２１のうち識別部１４の前側及び後側の各部分をそれぞれ第１搬送前部２１Ａ及び第１搬送後部２１Ｂと呼ぶ。
【００３１】  第２搬送部２２内には、前方から順に、第２切替部２５、第３切替部２６、第４切替部２７及び偽券切替部２８が直列に配置されている。第２搬送部２２内には、第１搬送部２１と同様、これらの間が比較的短い搬送短路によりそれぞれ接続されることで、全体として前後方向に沿った直線状の搬送経路が形成されている。また第２搬送部２２内の搬送経路は、数枚程度の紙幣を一時的に貯留する搬送経路貯留部としても機能する。
【００３２】  識別部１４は、内部に複数種類のセンサが組み込まれており、搬送される紙幣の金種、真偽、正損（損傷しているか否か）等を認識し、その認識結果を紙幣制御部１１へ送出する（詳しくは後述する）。
【００３３】  一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。
【００３４】  偽券庫１８は、上部ブロック１０Ｕ内における後端近傍であって、搬送部１３の真上に隣接する位置に設けられており、内部に紙幣を収納する空間を有している。この偽券庫１８は、後述する識別部１４及び紙幣制御部１１により偽造紙幣（以下、偽券と呼ぶ）と判断された紙幣が搬送部１３により搬送されてくると、これを内部に収納する。
【００３５】  このように搬送部１３は、第１搬送部２１、一時保留切替部２０及び第２搬送部２２により、前後方向に沿った直線状の搬送経路を形成する。搬送部１３は、この搬送経路に沿って紙幣を主に前後方向へ搬送すると共に、複数の切替部によりその搬送経路を切り替える。
【００３６】［１−２−２．下部ブロックの構成］  下部ブロック１０Ｌは、その全ての周側面が頑強な金庫筐体１０Ｓにより覆われている。この金庫筐体１０Ｓの内部には、再使用すべきでない紙幣を収納するリジェクト庫１６及び再利用可能な紙幣を収納する５個の紙幣収納庫１７（１７Ａ、１７Ｂ、１７Ｃ、１７Ｄ及び１７Ｅ）が設けられている。因みにリジェクト庫１６及び紙幣収納庫１７は、金庫筐体１０Ｓに対し着脱可能に構成されている。
【００３７】  リジェクト庫１６は、下部ブロック１０Ｌ内における最も前側に位置しており、上下方向に長い直方体状に形成されると共に内部に紙幣を集積して収納する空間を有している。このリジェクト庫１６は、識別部１４及び紙幣制御部１１により損傷の程度が大きく再利用すべきで無いと判断された紙幣が搬送部１３により搬送されて来ると、当該紙幣を内部に収納する。
【００３８】  下部ブロック１０Ｌ内におけるリジェクト庫１６の後方には、前側から後側へ向けて順に紙幣収納庫１７Ａ、１７Ｂ、１７Ｃ、１７Ｄ及び１７Ｅが設けられている。各紙幣収納庫１７は、何れも同様に構成されており、上下方向に長い直方体状に形成されると共に内部に紙幣を集積して収納する空間を有している。
【００３９】  各紙幣収納庫１７は、それぞれ収納すべき紙幣の金種が予め設定されている。この紙幣収納庫１７は、識別部１４及び紙幣制御部１１により損傷の程度が小さく再利用が可能であると判断された紙幣が、その金種に応じて搬送部１３により搬送されてくると、当該紙幣を内部に集積して収納する。また紙幣収納庫１７は、紙幣制御部１１から紙幣を繰り出す指示を受け付けると、集積している紙幣を１枚ずつに分離して繰り出し、搬送部１３に受け渡す。
【００４０】［１−３．識別部の構成］［１−３−１．搬送ガイドの構成］  図４に左側面図を示すと共に図５に平面図を示すように、識別部１４は上下のほぼ中央を前後方向に貫通する上搬送ガイド３０Ａ及び下搬送ガイド３０Ｂを中心に構成されている。
【００４１】  上搬送ガイド３０Ａ及び下搬送ガイド３０Ｂは、何れも所定の樹脂材料が成型されることにより、それぞれ上下方向に薄い１枚の板状に形成されている。これを換言すれば、上搬送ガイド３０Ａ及び下搬送ガイド３０Ｂは、左端から右端までの全範囲に渡り、それぞれ１の部品として一体に形成されている。
【００４２】  また上搬送ガイド３０Ａ及び下搬送ガイド３０Ｂ（以下、これらをまとめて搬送ガイド３０と呼ぶ）は、上搬送ガイド３０Ａの下面３０ＡＳ及び下搬送ガイド３０Ｂの上面３０ＢＳを互いに対向させ、上下方向に比較的狭い隙間（以下、これを搬送経路Ｕ１と呼ぶ）を形成している。この搬送経路Ｕ１は、図４にその中心線を一点鎖線により示したように、前後方向に沿って直線状に形成されている。
【００４３】  さらに上搬送ガイド３０Ａ及び下搬送ガイド３０Ｂは、それぞれ識別部１４の前端よりも先方及び後端よりも後方へそれぞれ延長されており、識別部１４に隣接する第１搬送前部２１Ａ及び第１搬送後部２１Ｂの内部に位置する部分まで、それぞれ一体に形成されている。
【００４４】  また搬送ガイド３０は、搬送経路Ｕ１における上下方向の高さ、すなわち上搬送ガイド３０Ａと下搬送ガイド３０Ｂとの上下方向の間隔（以下これをガイド間隔と呼ぶ）を、前後方向に区切られた領域ごとに、具体的には領域ＡＲ１、ＡＲ２、ＡＲ３、ＡＲ４及びＡＲ５のそれぞれにおいて相違させている。
【００４５】  第１搬送領域としての領域ＡＲ１及び第２搬送領域としての領域ＡＲ５は、ほぼ一様に、ガイド間隔を比較的大きいＡとしている。因みに紙幣入出金機１０では、搬送部１３（図３）等におけるガイド間隔も同様のＡとしている。一方、識別領域としての領域ＡＲ３は、ほぼ一様に、ガイド間隔を比較的小さいＢとしている。ガイド間隔Ａは、ガイド間隔Ｂに対して１．５ｍｍ〜４ｍｍ広くなっている。すなわちガイド間隔は、領域ＡＲ１及びＡＲ５よりも領域ＡＲ３の方が狭くなっている。これにより上搬送ガイド３０Ａ及び下搬送ガイド３０Ｂは、後述する各種センサに紙幣を近接させ、検出精度を高めることができる。
【００４６】  また図４から分かるように、識別部１４は、その全てが領域ＡＲ３に含まれている。換言すれば、上搬送ガイド３０Ａ及び下搬送ガイド３０Ｂは、識別部１４の範囲外である第１搬送前部２１Ａ及び第１搬送後部２１Ｂの内部において、他の搬送ガイドとそれぞれ連結されている。このため上搬送ガイド３０Ａ及び下搬送ガイド３０Ｂは、識別部１４の範囲内において、それぞれの下面３０ＡＳ及び上面３０ＢＳを、段差や隙間が無く一様に平坦な平面状としている。
【００４７】  第１中間領域としての領域ＡＲ２は、上搬送ガイド３０Ａ及び下搬送ガイド３０Ｂの双方において、領域ＡＲ１と領域ＡＲ３とを円滑に接続する傾斜面となっている。具体的に領域ＡＲ２は、領域ＡＲ１との境界においてガイド間隔をＡとし、且つ領域ＡＲ３との境界においてガイド間隔をＢとするような、すなわち後側から前方へ進むに連れてガイド間隔を徐々に縮小するような傾斜面となっている。
【００４８】  また領域ＡＲ２は、図６に部分的な拡大図を示すように、搬送経路Ｕ１に沿った方向、すなわち水平方向に対する傾斜角度αが比較的小さい角度、具体的には１０度〜４０度となっている。なお第２中間領域としての領域ＡＲ４は、上搬送ガイド３０Ａ及び下搬送ガイド３０Ｂの双方において、領域ＡＲ２とほぼ前後対称な傾斜面となっている。
【００４９】  さらに上搬送ガイド３０Ａの上側及び下搬送ガイド３０Ｂの下側には、搬送経路Ｕ１に沿うようにして、後述する各種センサや搬送ローラを構成する部材がそれぞれ取り付けられる。これに応じて上搬送ガイド３０Ａ及び下搬送ガイド３０Ｂには、例えば図７に示すように、これらの部材が取り付けられる箇所に、必要最小限の大きさでなる種々の孔が形成されている。各種センサや搬送ローラは、その一部をこの孔から搬送経路Ｕ１側に露出させ、或いは当該搬送経路Ｕ１内へ突出させる。
【００５０】  また下搬送ガイド３０Ｂは、図８Ａに平面図を示すと共に，そのＡ１−Ａ２断面図を図８Ｂに示すように、その後端に識別側噛合部３０Ｇが形成されている。識別側噛合部３０Ｇは、下搬送ガイド３０Ｂの後端から後方へ伸びる爪状の突起が左右方向に沿って周期的に配置され、各突起の間に溝状の隙間が形成された構成となっている。
【００５１】  一方、第１搬送後部２１Ｂは、下搬送ガイド３０Ｂと同様に紙幣を案内する下搬送ガイド５０Ｂが設けられている。この下搬送ガイド５０Ｂの前端には、下搬送ガイド３０Ｂの識別側噛合部３０Ｇと対応する搬送側噛合部５０Ｇが設けられている。搬送側噛合部５０Ｇは、下搬送ガイド３０Ｂの識別側噛合部３０Ｇと前後対称の形状でなる爪状の突起が、左右方向に関し当該識別側噛合部３０Ｇの各突起と相補的な位置に、すなわち識別側噛合部３０Ｇの各隙間とそれぞれ対応する位置に設けられている。この突起は、上面の先端部分に傾斜面が形成されている。この傾斜面の傾斜角度β、すなわち紙幣の進行方向に対する角度は、１０度〜４０度となっている。
【００５２】  下搬送ガイド３０Ｂは、識別側噛合部３０Ｇを下搬送ガイド５０Ｂの搬送側噛合部５０Ｇと互いに噛み合わせる。具体的に識別側噛合部３０Ｇ及び搬送側噛合部５０Ｇは、互いの上面をほぼ同等の高さに合わせた状態で、互いの突起を相手の隙間にそれぞれ入り込ませる。これにより下搬送ガイド３０Ｂは、見かけ上、下搬送ガイド５０Ｂとの間で大きな段差や隙間を形成すること無く、その上面を連続した平面状とすることができる。
【００５３】  また下搬送ガイド３０Ｂの前端、並びに上搬送ガイド３０Ａの後端及び前端（何れも図示せず）には、それぞれ下搬送ガイド３０Ｂの後端と同様又は前後対称の識別側噛合部３０Ｇが形成されている。また第１搬送後部２１Ｂにおける上搬送ガイドの前端、並びに第１搬送前部２１Ａにおける上搬送ガイド及び下搬送ガイドの後端（何れも図示せず）にも、それぞれ搬送側噛合部５０Ｇと同様又は前後対称の搬送側噛合部５０Ｇが形成されている。このため上搬送ガイド３０Ａ及び下搬送ガイド３０Ｂは、それぞれの識別側噛合部３０Ｇを搬送側噛合部５０Ｇと互いに噛み合わせることで、見かけ上、その下面又は上面を連続した平面状とすることができる。
【００５４】［１−３−２．識別搬送ローラ及び各センサの構成］  ところで搬送ガイド３０の近傍における識別部１４の範囲内には、図４及び図５に示したように、搬送経路Ｕ１に沿って、後側から順に識別搬送ローラ３２、厚みセンサ３３、識別搬送ローラ３４、画像センサ３５、識別搬送ローラ３６、磁気センサ３７及び識別搬送ローラ３８が配置されている。
【００５５】  このうち識別搬送ローラ３２、３４、３６及び３８は、何れも同様に構成されている。以下では、識別搬送ローラ３２について説明し、識別搬送ローラ３４、３６及び３８についての説明を省略する。
【００５６】  識別搬送ローラ３２は、複数のローラにより構成されるローラ群を、搬送経路Ｕ１の上下に１群ずつ配置している。各ローラ群は、中心軸を左右方向に向けた短い円柱状ないし円板状のローラが、左右方向に離散した４箇所に配置されている（図５）。また各ローラ群は、互いに対向するローラ３２Ａ及び３２Ｂの周側面同士を搬送経路Ｕ１のほぼ中心で当接させるように、すなわち搬送経路Ｕ１を前後方向から挟むように、それぞれ配置されている。
【００５７】  因みに下側のローラ３２Ｂは、識別部１４の外部に設けられたモータ（図示せず）等の動力源から駆動力が供給されることにより、図の時計回り又はその反対回りに回転駆動される。上側のローラ３２Ａは、これに従動して回転する。
【００５８】  また識別搬送ローラ３２の各ローラ３２Ａ及び３２Ｂは、図９に示すように、搬送されてきた紙幣ＢＬが最初に当接する際に、その当接箇所における当たり角γ、すなわち当該紙幣ＢＬとローラ３２Ａ又は３２Ｂの接線との間の角度が比較的小さい値、具体的には１０度〜４０度となるよう、その半径や取付位置が調整されている。
【００５９】  これに加えて、搬送ガイド３０の近傍における識別部１４の範囲外、すなわち第１搬送前部２１Ａ及び第１搬送後部２１Ｂの範囲内には、搬送ローラ４１及び４２がそれぞれ設けられている。
【００６０】  搬送ローラ４２は、識別搬送ローラ３２と類似した構成となっているものの、各ローラ群に属するローラ４２Ａ又は４２Ｂが左右方向に離れた２箇所に配置されている。また各ローラ４２Ａ及び４２Ｂは、識別搬送ローラ３２の各ローラ３２Ａ及び３２Ｂよりも半径が大きくなっている。
【００６１】  さらに搬送ローラ４２の各ローラ４２Ａ及び４２Ｂは、図１０に示すように、領域ＡＲ２とほぼ一致する範囲において、搬送経路Ｕ１内にその一部を露出させている。なお搬送ローラ４１は、搬送ローラ４２とほぼ前後対称に構成されている。
【００６２】  ところで搬送ローラ４２及び識別搬送ローラ３２の間、識別搬送ローラ３２及び３４の間、識別搬送ローラ３４及び３６の間、識別搬送ローラ３６及び３８の間、並びに識別搬送ローラ３８及び搬送ローラ４１の間における搬送経路Ｕ１に沿った距離は、何れも紙幣における進行方向に沿った長さ、すなわち短辺の長さよりも短くなっている。
【００６３】  このため識別部１４、第１搬送前部２１Ａ及び第１搬送後部２１Ｂは、搬送ローラ４１、識別搬送ローラ３２、３４、３６及び３８並びに搬送ローラ４１をそれぞれ回転駆動させることにより、紙幣を常に何れかの搬送ローラ又は識別搬送ローラにより挟持しながら互いに受け渡し、搬送経路Ｕ１に沿って前方向又は後方向へ搬送することができる。
【００６４】［１−３−３．各センサの構成］  厚みセンサ３３（図４）は、複数の可動ホルダ３３Ａと、可動ローラ３３Ｂと、固定ローラ３３Ｃとにより構成されている。複数の可動ホルダ３３Ａは、上搬送ガイド３０Ａに対し回動可能又は上下方向へ移動可能に支持されている。可動ローラ３３Ｂは、当該可動ホルダ３３Ａにより回転可能に支持されている。固定ローラ３３Ｃは、下搬送ガイド３０Ｂに取り付けられ上下方向に移動しない。
【００６５】  可動ホルダ３３Ａは、付勢手段（図示せず）により可動ローラ３３Ｂを固定ローラ３３Ｃに押し付けている。また可動ホルダ３３Ａは、位置センサ（図示せず）により、可動ローラ３３Ｂの上下方向への移動量を検出し、この検出結果を紙幣制御部１１（図２）へ通知する。
【００６６】  厚みセンサ３３は、識別搬送ローラ３２又は３４により紙幣が搬送されてくると、この紙幣を可動ローラ３３Ｂ及び固定ローラ３３Ｃの間に挟み込む。このとき可動ローラ３３Ｂは、挟み込んだ紙幣の厚みに応じた移動量だけ上方へ移動する。そこで厚みセンサ３３は、上述した位置センサにより可動ローラ３３Ｂの移動量を検出し、この検出結果を紙幣の厚みとして紙幣制御部１１（図２）へ通知する。
【００６７】  紙幣制御部１１は、厚みセンサから供給された検知結果を基に、搬送経路Ｕ１上を搬送されている紙幣の厚みが０枚分に相当するか、１枚分に相当するか、或いは２枚以上に相当するかを判断する。これにより紙幣制御部１１は、紙幣を搬送していないか、１枚の紙幣のみを正常に搬送しているか、或いは２枚以上の紙幣を重ねて搬送しているか（すなわち重送しているか）を認識することができる。
【００６８】  画像センサ３５は、上搬送ガイド３０Ａ及び下搬送ガイド３０Ｂにそれぞれ取り付けられた画像モジュール３５Ａ及び３５Ｂにより構成されている。画像モジュール３５Ａ及び３５Ｂは、例えばＬＥＤ（Light Emitting Diode）のように光を発光する発光素子と、この光を受光する受光素子とが組み込まれている。また画像モジュール３５Ａ及び３５Ｂは、互いに回転対称となるように、すなわち左右方向から見て互いに１８０度回転させたように構成されており、搬送経路Ｕ１を上下方向から挟んで、一方の発光素子と他方の受光素子とを互いに対向させるように配置されている。因みに受光素子は、左右方向に沿って直線状に形成された撮像素子となっている。
【００６９】  この画像センサ３５は、画像モジュール３５Ａ及び３５Ｂの双方において光の発光及び受光を同時に又は順次行うことにより、搬送経路Ｕ１を搬送される紙幣の両面について透過光及び反射光をそれぞれ検出し、その検出結果を紙幣制御部１１（図２）へ送出する。因みにこの検出結果は、紙幣を左右方向に沿って直線状に撮像したものであり、これらを搬送方向に沿って連結することで、紙幣を撮像した平面画像を得ることができる。
【００７０】  ところで画像モジュール３５Ａは、図７に示したように、その下面に左右方向に細長い長方形状のガラス板３５ＡＧを有しており、このガラス板３５ＡＧを介して画像を撮像するようになっている。一方、上搬送ガイド３０Ａには、ガラス板３５ＡＧよりも一回り大きな長方形状の孔部が穿設されている。このため画像モジュール３５Ａは、ガラス板３５ＡＧの外周と孔部との隙間を埋めるように、樹脂材料でなる充填部３５ＡＦが設けられている。
【００７１】  充填部３５ＡＦの線膨張係数は、ガラス板３５ＡＧを構成するガラス材料の線膨張係数よりも大きく、且つ上搬送ガイド３０Ａを構成する樹脂材料の線膨張係数よりも小さくなっている。この充填部３５ＡＦは、例えばガラス板３５ＡＧの周囲を覆うように形成された後、上搬送ガイド３０Ａと共に加熱された状態で、当該上搬送ガイド３０Ａの孔部に嵌め込まれ、冷却される。
【００７２】  これにより画像モジュール３５Ａは、充填部３５ＡＦとガラス板３５ＡＧとの間、及び充填部３５ＡＦと孔部との間において、隙間を極めて狭く抑えた状態で、その下面と上搬送ガイド３０Ａの下面３０ＡＳとの間に隙間や段差を殆ど形成させず、一様な平面状とすることができる。
【００７３】  磁気センサ３７は、搬送経路Ｕ１の上側に磁気モジュール３７Ａが配置されると共に、搬送経路Ｕ１の下側に当接ローラ３７Ｂが配置されている。磁気モジュール３７Ａは、鑑別搬送ローラ群により搬送経路Ｕ１に沿って搬送される紙幣が当接ローラ３７Ｂにより押し付けられると、当該紙幣から磁気を検出し、その検出結果を紙幣制御部１１（図２）へ送出する。
【００７４】  紙幣制御部１１は、画像センサ３５及び磁気センサ３７からそれぞれ供給された検出結果を基に、紙幣が真正なもの（いわゆる真券）又は偽造されたもの（いわゆる偽券）の何れであるか、及びその金種や損傷の程度等を判断する。
【００７５】［１−４．動作及び効果］  以上の構成において、第１の例示的実施形態による現金自動預払機１の識別部１４は、隣接する第１搬送前部２１Ａ及び第１搬送後部２１Ｂの範囲に至るまで、上搬送ガイド３０Ａ及び下搬送ガイド３０Ｂをそれぞれ１の部品として形成し、これらに各種ローラや各種センサを構成する部品をそれぞれ取り付けた（図４）。
【００７６】  このため識別部１４は、上搬送ガイド３０Ａの下面３０ＡＳ及び下搬送ガイド３０Ｂの上面３０ＢＳそれぞれにおいて、各種ローラと各種センサとが隣接する箇所で隙間や段差等を形成すること無く、平滑な平面とすることができる。すなわち識別部１４は、従来の識別部のように、各センサを独立したモジュールとして構成し、搬送ガイドをこのモジュール毎に設けて互いに連結させ搬送経路を形成した場合に生じ得る、連結部分における段差や隙間を、原理的に排除できる。
【００７７】  これにより識別部１４は、その内部で紙幣を搬送する際に、隙間や段差に引っ掛かることによる詰まりの発生を回避でき、当該紙幣を円滑に進行させながら適切に識別することができる。
【００７８】  また上搬送ガイド３０Ａ及び下搬送ガイド３０Ｂは、その両端を識別部１４の範囲外、すなわち第１搬送前部２１Ａ及び第１搬送後部２１Ｂの範囲内にそれぞれ位置させ、当該第１搬送前部２１Ａ及び第１搬送後部２１Ｂの範囲内において、識別側噛合部３０Ｇと搬送側噛合部５０Ｇ等とを互いに噛み合わせるようにした。
【００７９】  すなわち上搬送ガイド３０Ａ及び下搬送ガイド３０Ｂは、識別部１４内の領域ＡＲ３のようにガイド間隔が狭いところでは無く、第１搬送前部２１Ａ及び第１搬送後部２１Ｂの領域ＡＲ１及びＡＲ５のようにガイド間隔が広いところで、識別側噛合部３０Ｇと搬送側噛合部５０Ｇ等とを噛み合わせるようにした。
【００８０】  このため上搬送ガイド３０Ａ及び下搬送ガイド３０Ｂは、識別側噛合部３０Ｇと搬送側噛合部５０Ｇ等とを噛み合わせる箇所において、互いの取付位置に上下方向の誤差が生じたとしても、ガイド間隔に対する影響を相対的に小さく抑えることができる。例えば、仮に領域ＡＲ３において噛み合わせる場合、誤差が０．５ｍｍであれば、ガイド間隔は、残りのＢ−０．５ｍｍと極めて狭くなる。一方、領域ＡＲ１及びＡＲ５において噛み合わせる場合、誤差が０．５ｍｍであっても、ガイド間隔は残りのＡ−０．５ｍｍとなる。ガイド間隔Ａは、ガイド間隔Ｂと比較して１．５ｍｍ〜４ｍｍ広いことから、誤差０．５ｍｍ狭くなったＡ−０．５ｍｍは、Ｂ−０．５ｍｍよりも十分に広い状態を維持できる。すなわち上搬送ガイド３０Ａ及び下搬送ガイド３０Ｂは、取付位置に誤差が生じた場合にもガイド間隔を十分に広い状態に維持でき、紙幣の詰まりの発生を良好に抑制することができる。
【００８１】  また上搬送ガイド３０Ａ及び下搬送ガイド３０Ｂは、領域ＡＲ２及びＡＲ４における、紙幣の進行方向に対する下面３０ＡＳ及び上面３０ＢＳの傾斜角度α（図６）を、比較的小さい角度、すなわち１０度〜４０度に抑えるようにした。
【００８２】  このため上搬送ガイド３０Ａ及び下搬送ガイド３０Ｂは、領域ＡＲ１側から紙幣が領域ＡＲ２内へ進行する場合、及び領域ＡＲ５側から紙幣が領域ＡＲ４内へ進行する場合、当該紙幣が上搬送ガイド３０Ａ又は下搬送ガイド３０Ｂに当接したとしても、詰まりを発生させる可能性を格段に低減でき、当該紙幣を円滑に進行させることができる。
【００８３】  さらに搬送ローラ４２及び４１は、上搬送ガイド３０Ａ及び下搬送ガイド３０Ｂの領域ＡＲ２及びＡＲ４とほぼ一致する範囲において、ローラ４２Ａ及び４２Ｂ並びに４１Ａ及び４１Ｂを搬送経路Ｕ１内へ突出させるようにした。これにより上搬送ガイド３０Ａ及び下搬送ガイド３０Ｂは、領域ＡＲ２及びＡＲ４において、回転するローラ４２Ａ及び４２Ｂ並びに４１Ａ及び４１Ｂに紙幣を当接及び挟持させ、極めて円滑に進行させることができる。
【００８４】  また識別部１４では、識別搬送ローラ３２等に対する紙幣の当たり角γ（図９）を１０度〜４０度とするようにした。このため識別部１４は、紙幣が識別搬送ローラ３２の各ローラ３２Ａ及び３２Ｂ等に当接した際に、当該紙幣を詰まらせること無く、円滑に進行させることができる。
【００８５】  以上の構成によれば、第１の例示的実施形態による現金自動預払機１の識別部１４は、隣接する第１搬送前部２１Ａ及び第１搬送後部２１Ｂの範囲に至るまで、上搬送ガイド３０Ａ及び下搬送ガイド３０Ｂをそれぞれ１の部品として形成した。これにより識別部１４は、ガイド間隔が比較的狭い領域ＡＲ３において噛合部同士を噛み合わせた場合に生じ得る隙間や段差等を形成すること無く、平滑な下面３０ＡＳ及び上面３０ＢＳに沿って紙幣を案内でき、紙幣の詰まりが発生する可能性を低減できる。
【００８６】［２．第２の例示的実施形態］  第２の例示的実施形態による現金自動預払機１０１（図１）は、第１の例示的実施形態による現金自動預払機１と比較して、紙幣入出金機１０に代わる紙幣入出金機１１０を有する点において相違する。紙幣入出金機１１０（図２）は、第１の例示的実施形態による紙幣入出金機１０と比較して、搬送部１３に代わる搬送部１１３を有する点において相違する。
【００８７】  搬送部１１３は、図３と対応する図１１に示すように、第１搬送部２１に代わる第１搬送部１２１を有する点において相違するものの、他の点については同様に構成されている。第１搬送部１２１は、第１の例示的実施形態における識別部１４及び第１搬送前部２１Ａを一体に構成した識別部１１４と、第１の例示的実施形態と同様の第１搬送後部２１Ｂとにより構成されている。
【００８８】  識別部１１４は、図４と対応する図１２に示すように、第１の例示的実施形態における識別部１４と同様の識別搬送ローラ３２等に加えて、その前側に、搬送ローラ４１及びリジェクト切替部２３が組み込まれている。また識別部１１４は、上搬送ガイド３０Ａ及び下搬送ガイド３０Ｂに代わる上搬送ガイド１３０Ａ及び下搬送ガイド１３０Ｂを有している。
【００８９】  上搬送ガイド１３０Ａ及び下搬送ガイド１３０Ｂは、領域ＡＲ１〜ＡＲ５においては第１の例示的実施形態と同様に構成され、下面１３０ＡＳと上面１３０ＢＳとを互いに対向させているものの、これに加えて領域ＡＲ５の前側に領域ＡＲ６が延設されている。
【００９０】  リジェクト切替部２３内には、上方の入出金部１２（図２）に接続される搬送経路Ｕ２と、下方のリジェクト庫１６（図２）に接続される搬送経路Ｕ３とが設けられ、搬送経路Ｕ１、Ｕ２及びＵ３が交わる箇所にブレード２３Ｂが配置されている。
【００９１】  搬送経路Ｕ２における後側部分は、識別部１１４内から連続する上搬送ガイド１３０Ａの領域ＡＲ６により構成されている。また搬送経路Ｕ３における後側部分も、これと同様に識別部１１４内から連続する下搬送ガイド１３０Ｂの領域ＡＲ６により構成されている。
【００９２】  以上の構成において、第２の例示的実施形態による識別部１１４は、第１の例示的実施形態と同様、上搬送ガイド１３０Ａ及び下搬送ガイド１３０Ｂをそれぞれ１の部品として形成し、領域ＡＲ３の範囲内で他の搬送ガイドとの連結を行わないようにした。
【００９３】  このため識別部１１４は、第１の例示的実施形態と同様、その内部で紙幣を搬送する際に、隙間や段差に引っ掛かることによる詰まりの発生を回避でき、当該紙幣を円滑に進行させながら適切に識別することができる。
【００９４】  また上搬送ガイド１３０Ａ及び下搬送ガイド１３０Ｂは、前側のリジェクト切替部２３において、搬送経路Ｕ２及びＵ３の一部も構成するようにした。これにより上搬送ガイド１３０Ａ及び下搬送ガイド１３０Ｂは、識別部１１４の範囲内に加えて、リジェクト切替部２３の範囲内においても、連結部分等を介すること無く、連続した下面１３０ＡＳ及び上面１３０ＢＳにより、紙幣を円滑に案内することができる。これを他の観点から見れば、リジェクト切替部２３は、第１の例示的実施形態における識別部１４に相当する各部品との間で生じ得る組立上の誤差を、極めて小さく抑えることができる。
【００９５】  その他の点においても、第２の例示的実施形態による識別部１１４並びに上搬送ガイド１３０Ａ及び下搬送ガイド１３０Ｂは、第１の例示的実施形態による識別部１４並びに上搬送ガイド３０Ａ及び下搬送ガイド３０Ｂと同様の作用効果を奏し得る。
【００９６】  以上の構成によれば、第２の例示的実施形態による現金自動預払機１０１の識別部１１４は、上搬送ガイド１３０Ａ及び下搬送ガイド１３０Ｂをそれぞれ１の部品として形成した。これにより識別部１１４は、第１の例示的実施形態と同様、ガイド間隔が比較的狭い領域ＡＲ３において噛合部同士を噛み合わせた場合に生じ得る隙間や段差等を形成すること無く、平滑な下面１３０ＡＳ及び上面１３０ＢＳに沿って紙幣を案内でき、リジェクト切替部２３の範囲内も含めて、紙幣の詰まりが発生する可能性を低減できる。
【００９７】［３．第３の例示的実施形態］  第３の例示的実施形態による現金自動預払機２０１（図１）は、第１の例示的実施形態による現金自動預払機１と比較して、紙幣入出金機１０に代わる紙幣入出金機２１０を有する点において相違する。紙幣入出金機２１０（図２）は、第１の例示的実施形態による紙幣入出金機１０と比較して、搬送部１３に代わる搬送部２１３を有する点において相違する。
【００９８】  搬送部２１３は、図３と対応する図１３に示すように、第１搬送部２１に代わる第１搬送部２２１を有する点において相違するものの、他の点については同様に構成されている。第１搬送部２２１は、第１の例示的実施形態と同様の識別部１４を有することに加えて、第１の例示的実施形態における第１搬送前部２１Ａ及び第１搬送後部２１Ｂとそれぞれ対応する第１搬送前部２２１Ａ及び第１搬送後部２２１Ｂを有している。
【００９９】  また搬送部２１３は、本来的に識別部１４と異なる他の識別部を搭載するよう設計されている。具体的に第１搬送前部２２１Ａ及び第１搬送後部２２１Ｂには、上搬送ガイド３０Ａ及び下搬送ガイド３０Ｂの前後両端にそれぞれ設けられた識別側噛合部３０Ｇと噛み合うような噛合部が形成されていない。また第１搬送前部２２１Ａに設けられた搬送ガイドの後端と第１搬送後部２２１Ｂに設けられた搬送ガイドの前端との間隔は、上搬送ガイド３０Ａ及び下搬送ガイド３０Ｂにおける前後方向の長さよりも広くなっている。
【０１００】  そこで搬送部２１３は、第１搬送前部２２１Ａと識別部１４との間に中間搬送ガイド２５１を設け、また第１搬送後部２２１Ｂと識別部１４との間に中間搬送ガイド２５２を設けた。中間搬送ガイド２５２は、図１４に拡大図を示すように、上搬送ガイド２５２Ａ及び下搬送ガイド２５２Ｂにより構成されている。
【０１０１】  上搬送ガイド２５２Ａ及び下搬送ガイド２５２Ｂの前端には、第１の例示的実施形態における搬送側噛合部５０Ｇ（図８Ａ、図８Ｂ）と同様の噛合部２５２Ｇがそれぞれ形成されている。また上搬送ガイド２５２Ａ及び下搬送ガイド２５２Ｂの後端には、第１搬送後部２２１Ｂにおける搬送ガイド２６２Ａ及び２６２Ｂの前端にそれぞれ設けられた噛合部と対応する形状の噛合部がそれぞれ形成されている。
【０１０２】  このため中間搬送ガイド２５２は、上搬送ガイド２５２Ａ及び下搬送ガイド２５２Ｂの前端を上搬送ガイド３０Ａ及び下搬送ガイド３０Ｂの後端に設けられた識別側噛合部３０Ｇとそれぞれ適切に噛み合わせて、見かけ上、連続した面をそれぞれ形成することができる。また中間搬送ガイド２５２は、上搬送ガイド２５２Ａ及び下搬送ガイド２５２Ｂの後端を第１搬送後部２２１Ｂにおける搬送ガイド２６２Ａ及び２６２Ｂの前端と適切に噛み合わせて、見かけ上、連続した面をそれぞれ形成することができる。また中間搬送ガイド２５１は、中間搬送ガイド２５２とほぼ前後対称に形成されている。
【０１０３】  すなわち搬送部２１３は、第１搬送前部２２１Ａ及び第１搬送後部２２１Ｂと識別部１４との間に、いわゆるアダプタやアタッチメントのように中間搬送ガイド２５１及び２５２を介在させるようにした。これにより搬送部２１３は、本来的に識別部１４に対応した設計で無いにも拘わらず、第１搬送前部２２１Ａと識別部１４との間、及び第１搬送後部２２１Ｂと識別部１４との間において、それぞれ紙幣を円滑に搬送でき、当該識別部１４において当該紙幣を適切に識別させることができる。
【０１０４】  また識別部１４は、第１の例示的実施形態と同様に構成されているため、第１の例示的実施形態と同様の作用効果を奏し得る。
【０１０５】  以上の構成によれば、第３の例示的実施形態による現金自動預払機２０１の搬送部２１３は、第１搬送前部２２１Ａ及び第１搬送後部２２１Ｂと識別部１４との間に、中間搬送ガイド２５１及び２５２をそれぞれ設けた。これにより搬送部２１３は、直接紙幣を受け渡すことができない第１搬送前部２２１Ａ及び識別部１４の間、並びに第１搬送後部２２１Ｂ及び識別部１４の間において、円滑に紙幣を受け渡し、当該識別部１４内において当該紙幣を円滑に搬送させながら、適切に識別させることができる。
【０１０６】［４．第４の例示的実施形態］  第４の例示的実施形態による現金自動預払機３０１は、第１の例示的実施形態による現金自動預払機１と比較して、紙幣入出金機１０に代わる紙幣入出金機３１０を有する点において相違する。紙幣入出金機３１０は、第１の例示的実施形態による紙幣入出金機１０と比較して、搬送部１３に代わる搬送部３１３を有する点において相違する。
【０１０７】  搬送部３１３は、識別部１４に代わる識別部３１４を有する点において相違するものの、他の点については同様に構成されている。識別部３１４は、図４と対応する図１５に示すように、識別部１４と同様の構成に加えて、駆動部３６０が組み込まれている。
【０１０８】  駆動部３６０は、アクチュエータ３６１、ベルト３６２、ローラ３６３及びベルト３６５により構成されている。アクチュエータ３６１は、供給される電力を基に出力軸３６１Ｘを回転させる。
【０１０９】  またアクチュエータ３６１は、出力軸３６１Ｘの回転を検出するセンサが組み込まれており、このセンサにより当該出力軸３６１Ｘの回転を検出して検出信号を生成し、これを識別部３１４の厚みセンサ３３、画像センサ３５及び磁気センサ３７にそれぞれ供給する。厚みセンサ３３、画像センサ３５及び磁気センサ３７は、供給される検出信号にタイミングを合わせて動作するようになっている。
【０１１０】  ベルト３６２は、出力軸３６１Ｘと搬送ローラ４２におけるローラ４２Ｂの中心軸４２Ｘとの間に掛け回されており、その張力がローラ３６３により調整されている。ベルト３６５は、ローラ４２Ｂ、３２Ｂ、固定ローラ３３Ｃ、ローラ３４Ｂ、３６Ｂ、当接ローラ３７Ｂ、ローラ３８Ｂ及び４１Ｂの各回転軸と当接しながら走行するよう、掛け回されている。
【０１１１】  この駆動部３６０は、搬送ローラ４１及び４２と共に、識別部１４の外周を覆う筐体（図示せず）に取り付けられている。すなわち識別部１４は、搬送ローラ４１及び４２並びに駆動部３６０を含んだ１個のモジュールとして構成されている。
【０１１２】  かかる構成により搬送部３１３は、識別部１４内の各部品等に不具合が生じた場合、保守作業により、駆動部３６０を含んだモジュール全体を交換するようになっている。これにより搬送部３１３は、保守作業においてベルト３６５やベルト３６２をかけ直す作業や張力等を調整する作業が不要となり、当該保守作業を容易化でき、また保守作業員の習熟度による品質のばらつき等も抑えることができる。
【０１１３】  その他の点においても、第４の例示的実施形態による識別部３１４並びに上搬送ガイド３０Ａ及び下搬送ガイド３０Ｂは、第１の例示的実施形態による識別部１４並びに上搬送ガイド３０Ａ及び下搬送ガイド３０Ｂと同様の作用効果を奏し得る。
【０１１４】  以上の構成によれば、第４の例示的実施形態による現金自動預払機１０１の識別部３１４は、上搬送ガイド３０Ａ及び下搬送ガイド３０Ｂをそれぞれ１の部品として形成し、さらに駆動部３６０を１のモジュールとして組み込んだ。これにより識別部３１４は、第１の例示的実施形態と同様、ガイド間隔が比較的狭い領域ＡＲ３において噛合部同士を噛み合わせた場合に生じ得る隙間や段差等を形成すること無く、平滑な下面３０ＡＳ及び上面３０ＢＳに沿って紙幣を案内できる。さらに識別部３１４は、保守作業においてベルト３６５やベルト３６２にまつわる作業を排除できるので、作業全体を容易化することができる。
【０１１５】［５．他の例示的実施形態］  なお上述した第１の例示的実施形態においては、上搬送ガイド３０Ａ及び下搬送ガイド３０Ｂをそれぞれ一体に形成された１の部品として構成する場合について述べた。しかしながら本発明はこれに限らず、例えば上搬送ガイド３０Ａを左右方向に分割し、複数の部品を組み合わせることにより構成しても良い。この場合、紙幣の搬送方向である前後方向に関しては、領域ＡＲ１から領域ＡＲ５までを分割すること無く連続した部品とすることで、連結部分があることによる紙幣の搬送不良や詰まりの発生を未然に防止できれば良い。第２〜第４の例示的実施形態についても同様である。
【０１１６】  また上述した第１の例示的実施形態においては、上搬送ガイド３０Ａ及び下搬送ガイド３０Ｂの領域ＡＲ２及びＡＲ４を傾斜面として構成し、その傾斜角度αを１０度〜４０度とする場合について述べた。しかしながら本発明はこれに限らず、例えば湾曲された面や段差を有する面としても良く、また傾斜角度αを例えば４５度のように４０度よりも大きい角度としても良い。この場合、搬送ローラ４１及び４２のローラ４１Ａ等が搬送経路Ｕ１内に突出する範囲を領域ＡＲ２及びＡＲ４にほぼ一致させることで、当該ローラ４１Ａ等の回転により紙幣を円滑に搬送できれば良い。第２〜第４の例示的実施形態についても同様である。
【０１１７】  さらに上述した第１の例示的実施形態においては、領域ＡＲ２とほぼ一致する範囲において、搬送経路Ｕ１内に搬送ローラ４２における各ローラ４２Ａ及び４２Ｂの一部を露出させる場合について述べた。しかしながら本発明はこれに限らず、領域ＡＲ２と必ずしも一致しない範囲において、搬送経路Ｕ１内に搬送ローラ４２における各ローラ４２Ａ及び４２Ｂの一部を露出させるようにしても良い。第２〜第４の例示的実施形態についても同様である。
【０１１８】  さらに上述した第１の例示的実施形態においては、上搬送ガイド３０Ａの下面３０ＡＳ及び下搬送ガイド３０Ｂの上面３０ＢＳにおける領域ＡＲ３の部分をそれぞれ平面状とし、ガイド間隔を一定とする場合について述べた。しかしながら本発明はこれに限らず、これらを例えば曲面状としても良く、またガイド間隔を部分毎に変化させても良い。またこの場合、上搬送ガイド３０Ａの下面３０ＡＳと下搬送ガイド３０Ｂの上面３０ＢＳとが上下方向に非対称な形状となっても良い。第２〜第４の例示的実施形態についても同様である。
【０１１９】  さらに上述した第１の例示的実施形態においては、領域ＡＲ３に相当する範囲のみを識別部１４とし、これより前側の領域ＡＲ４及びＡＲ５を第１搬送前部２１Ａの一部とし、後側の領域ＡＲ２及びＡＲ１を第１搬送後部２１Ｂの一部とする場合について述べた。しかしながら本発明はこれに限らず、例えば領域ＡＲ１からＡＲ５までの全範囲を識別部１４とするように、すなわち搬送ローラ４１及び４２も識別部１４の一部とみなすようにしても良い。この場合、噛合部３０Ｇ（図９）も識別部１４の一部となるものの、ガイド間隔が比較的広い箇所で相手方の噛合部５０Ｇ等と噛み合わせれば良い。第３及び第４の例示的実施形態についても同様である。
【０１２０】  さらに上述した第１の例示的実施形態においては、現金自動預払機１の紙幣入出金機１０において紙幣を識別する識別部１４に本発明を適用する場合について述べた。しかしながら本発明はこれに限らず、例えば金融機関の窓口に設置され、主に金融機関の職員に使用される紙幣整理装置（いわゆるテラーマシン）等、紙幣を取り扱う種々の装置において紙幣を識別する識別部に適用しても良い。第２〜第４の例示的実施形態についても同様である。
【０１２１】  さらに上述した第１の例示的実施形態においては、媒体としての紙幣を取り扱う現金自動預払機１において当該紙幣を識別する識別部１４に本発明を適用する場合について述べた。しかしながら本発明はこれに限らず、例えば各種の金券や証券のような種々の媒体を取り扱う装置において、この媒体を識別する識別部に適用しても良い。
【０１２２】  さらに本発明は、上述した各例示的実施形態及び他の例示的実施形態に限定されるものではない。すなわち本発明は、上述した各例示的実施形態と上述した他の例示的実施形態の一部又は全部を任意に組み合わせた例示的実施形態や、一部を抽出した例示的実施形態にもその適用範囲が及ぶものである。
【０１２３】  さらに上述した例示的実施形態においては、搬送経路としての搬送経路Ｕ１と、第１搬送ガイド及び第２搬送ガイドとしての上搬送ガイド３０Ａ及び下搬送ガイド３０Ｂと、識別センサとしての厚みセンサ３３、画像センサ３５及び磁気センサ３７と、識別搬送ローラとしての識別搬送ローラ３２、３４、３６及び３８とによって媒体搬送識別装置としての識別部１４を構成する場合について述べた。しかしながら本発明はこれに限らず、その他種々の構成でなる搬送経路と、第１搬送ガイド及び第２搬送ガイドと、識別センサと、識別搬送ローラとによって媒体搬送識別装置を構成しても良い。
【０１２４】  さらに上述した例示的実施形態においては、授受部としての入出金部１２と、搬送経路としての搬送経路Ｕ１と、第１搬送ガイド及び第２搬送ガイドとしての上搬送ガイド３０Ａ及び下搬送ガイド３０Ｂと、識別センサとしての厚みセンサ３３、画像センサ３５及び磁気センサ３７と、識別搬送ローラとしての識別搬送ローラ３２、３４、３６及び３８とによって媒体取引装置としての現金自動預払機１を構成する場合について述べた。しかしながら本発明はこれに限らず、その他種々の構成でなる授受部と、搬送経路と、第１搬送ガイド及び第２搬送ガイドと、識別センサと、識別搬送ローラとによって媒体取引装置を構成しても良い。
【０１２５】  日本出願特願２０１４−１７０５３１の開示は、その全体が参照により本明細書に取り込まれる。
【０１２６】  本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【産業上の利用可能性】
【０１２７】  本発明は、媒体としての紙幣を利用車との間で取引する現金自動預払機でも利用できる。
【図１】
2016031410.tif 000003
【図２】
2016031410.tif 000004
【図３】
2016031410.tif 000005
【図４】
2016031410.tif 000006
【図５】
2016031410.tif 000007
【図６】
2016031410.tif 000008
【図７】
2016031410.tif 000009
【図８Ａ】
2016031410.tif 000010
【図８Ｂ】
2016031410.tif 000011
【図９】
2016031410.tif 000012
【図１０】
2016031410.tif 000013
【図１１】
2016031410.tif 000014
【図１２】
2016031410.tif 000015
【図１３】
2016031410.tif 000016
【図１４】
2016031410.tif 000017
【図１５】
2016031410.tif 000018
【国際調査報告】
2016031410.tif 000019
2016031410.tif 000020
2016031410.tif 000021
2016031410.tif 000022